(57)【要約】【課題】根掛りし難いルアーを提供する。【解決手段】線状間隔保持部材７を最前部から前方に突設するようにしたルアーであり、リップ３を備えないルアーであっても良い。ルアー本体２の腹側中程などには釣鉤４を取り付ける。また、リップ３の上面中程には道糸５を結び付けるためのリング状の接続部６を設ける。線状間隔保持部材７は、例えば前端部が円弧状に湾曲した略Ｕ字状を呈し、その互いに離間した後端部側をリップ３の左右両側部分に埋設・固定して、リップ３の前方に突出した状態に取り付ける。【選択図】      図１
2004298132.tif 000002
【特許請求の範囲】
【請求項１】
線状間隔保持部材が道糸接続部の前方に突設されたことを特徴とするルアー。
【発明の詳細な説明】
【０００１】
【発明の属する技術分野】
本発明は、魚釣りにおいて擬餌鉤として使用するルアーに関する。
【０００２】
【従来の技術】
この種のルアーにおいては、根掛りし難い構成にすることが、大型の魚を釣り上げる上での重要な要素の一つである。すなわち、大型魚は根回りに潜んだり、杭、水草などの水中の障害物に隠れて餌として捕食する小魚、海老、甲殻類などを狙っていることが多いので、アングラーは意識的にルアーをその付近にキャストし、リーリングする。
【０００３】
したがって、ルアーとしては、そのような使われ方をしても根掛りし難い構成にする必要があり、根掛りし難いルアーとして、例えば図１０に示したルアー１Ｘが提案されている（特許文献１参照）。
【０００４】
なお、図中２はルアー本体、３はリップ、４は釣鉤、５は道糸、６は道糸５を結び付けるための接続部、８は重錘、９は重錘８の移動案内部である。
【０００５】
【特許文献１】
特開２０００−２７０７１７（図３）
【０００６】
【発明が解決しようとする課題】
しかし、図１０に示した構成のルアーにおいては、本体内部に重錘体と、その重錘体の移動案内部を設け、さらにその移動案内部の前方上下方向に重錘体が移動可能な保持部を設けると云った複雑な構造となっているので、体形がズングリしたクランクベイトタイプのルアーには用いられても、細長いミノータイプのルアーなどには適用し難いと云った問題点があった。そのため、簡単な構造でより根掛りし難く、また、細長いミノータイプのルアーなどにも適用できるようにする必要があり、それが解決すべき課題であった。
【０００７】
【課題を解決するための手段】
上記課題を解決すべく本発明は、線状間隔保持部材を道糸接続部の前方に突設するようにしたルアーを提供するものである。
【０００８】
【発明の実施の形態】
以下、本発明の実施形態を図１〜図９に基づいて詳細に説明する。なお、理解を容易にするため、これらの図面においても前記図１０において説明した部分と同様の機能を有する部分には、同一の符号を付した。
【０００９】
図１に例示した本発明のルアー１は、木、合成樹脂、金属などの適宜の素材により、魚に似せて作製されたルアー本体２と、その前端部にこれも適宜の素材によりルアー本体２と一体にやや下向きに形成された板状のリップ３とを備えている（ルアー本体２とリップ３とは別部材により作製されても良い）。
【００１０】
本発明のルアー１においても、従来のルアー１Ｘと同様にルアー本体２の腹側中程と、尾部側には釣鉤４が取り付けられている。また、リップ３の上面中程には道糸５を結び付けるためのリング状の接続部６が設けられている。
【００１１】
なお、接続部６はこのようにリップ３に根元側が埋め込まれた目玉状の開口を有するアイに回動自在に取り付けられたリングであっても良いし、リップ３に根元側が埋め込まれたアイのみから構成されても良い。
【００１２】
そして、本発明のルアー１においては、リップ３に線状間隔保持部材７が取り付けられている。図１に例示したルアー１の線状間隔保持部材７は、前端部が円弧状に湾曲した略Ｕ字状を呈し、その互いに離間した後端部側がリップ３の左右両側部分に埋設・固定されて、前端部側がリップ３の前方に突出した状態に取り付けられている。
【００１３】
したがって、線状間隔保持部材７を備えた本発明の形態のルアー１では、キャスティングされ、斜め下向きに取り付けられたリップ３の作用によりリーリング中に潜行し、例えば図２に示したように根１０に衝突することがあっても、根１０に衝突するのは多くの場合線状間隔保持部材７の先端部であり、線状間隔保持部材７の先端部が根１０に衝突しても釣鉤４と根１０との間隔は大きく保たれるため、釣鉤４は根１０に引っ掛かり難い。すなわち、釣鉤４は根掛りし難い。
【００１４】
上記したように、線状間隔保持部材７は釣鉤４が根１０や杭などの水中の障害物に引っ掛からないように間隔を確保するために設けるものであるから、リップ３から前方に僅か１ｍｍだけ突出させても、釣鉤４の根掛りを減らす効果なしとは云えないが、顕著な効果を得るためには少なくとも５ｍｍ、好ましくはリップ３の最前部から前方に１５ｍｍ程度は突出させることが好ましい。
【００１５】
しかし、リップ３の前方に線状間隔保持部材７を突出させる寸法は、大きくなり過ぎるとルアー１の操作性に悪影響が出るようになるので、その寸法は最大でもルアー本体２とリップ３を合せた程度に制限することが好ましい。
【００１６】
上記作用を担う線状間隔保持部材７は、弾性変形領域の狭い部材で作製されても構わないが、弾性変形領域の広い金属などの部材により作製されていると、例えば図２に示したようにリーリング中に先端部が根１０に衝突し、引っ掛かることがあっても、ルアー１が道糸５により強く引っ張られると、線状間隔保持部材７が図２に示したように大きく撓んで根１０から外れ、障害物を乗り越えることが可能になり、且つ、障害物を乗り越えた後に元の形状に自然に戻るので一層好ましい（但し、変形が弾性変形領域内の場合）。
【００１７】
また、線状間隔保持部材７が上記のように、▲１▼障害物に引っ掛かる、▲２▼線状間隔保持部材７が撓みながらリーリングに耐える、▲３▼回動して乗り越える、ときには単純なリーリングをしているときよりも、魚が潜んでいる確率の高い場所にルアー１が長時間留まることになるし、根掛り状態になった線状間隔保持部材７が撓んで外れるときに今までにない不規則なアクションが生まれ、そのアクションに魚が思わず反応してヒットすることがよくあるので、このような作用効果を線状間隔保持部材７に期待するときには、例えばバネ鋼と称されている高弾性ステンレス鋼、超弾性ニッケルチタン合金などの弾性変形領域の特に広い部材を用いて線状間隔保持部材７を作製することが好ましい。
【００１８】
また、線状間隔保持部材７は上記鉄系金属、ニッケル系金属などの比重の大きい金属により作製される他、アルミニウム合金、マグネシウム合金、チタン合金などの比重の小さい金属により作製するときには、ルアー本体２を樹脂製とするときに、釣鉤４が根掛りし難くなるように線状間隔保持部材７を前後方向に長く形成しても、ルアー１全体の質量バランスを保ち易いと云った利点がある。
【００１９】
しかし、線状間隔保持部材７の先端部が根１０などの障害物に突き当たった状態でリーリングされたときに、線状間隔保持部材７の先端部と釣鉤４との間隔が簡単に狭まるようでは、釣鉤４は根掛りし易くなるので、線状間隔保持部材７はゴム状弾性に富んだものではない方が好ましい。
【００２０】
キャスティング時に空気抵抗が大きくなって飛距離を落すことがないようにするためにも、また、ルアー本体２とリップ３の形状によってもたらされるリーリング時のアクションを阻害することがないようにするためにも、線状間隔保持部材７は直径１．５ｍｍ程度以下の細い線状の部材で作製することが好ましい。
【００２１】
また、岩などにぶつけても簡単には破損しない十分な強度を備えると共に、根掛りした線状間隔保持部材７が撓んで障害物を乗り越えるためには、線状間隔保持部材７としては前記金属を含む適宜の金属を、例えば直径が０．３程度以上の針金状に形成して使用するのが好ましい。
【００２２】
また、線状間隔保持部材７の断面形状としては、円形が一般的ではあるが、楕円形に形成し、長軸方向をルアー１の前後方向に略一致させて、キャティングやリーリングするときの抵抗を抑え、且つ、長軸方向の剛性を高めて先端部が根１０などの障害物に衝突したときの感度を上げるようにすることも可能である。
【００２３】
また、前端側が図３に示したように鳩尾状に拡幅形成された線状間隔保持部材７を備えたルアー１においても、前記図１に示した形状の線状間隔保持部材７を備えたルアー１と同様に根掛りを減らす作用効果を奏することが可能である。
【００２４】
また、前端部側が図１または図３に示したような形状に作製される線状間隔保持部材７は、例えばその前端部側中央部分で二分割され、鍬形虫の一対の大顎に似た状態に取り付けられても良い。
【００２５】
また、前端部側が図１または図３に示したような形状に作製される線状間隔保持部材７は、その後端部側が図４に示したように互いに接近し、リップ３の左右方向の中央部分前部から後部側に埋設・固定されて、前端部側がリップ３の前方に突出した状態に取り付けられても良い。
【００２６】
また、前端部側が図１または図３に示したような形状に作製される線状間隔保持部材７は、例えば図５に示したようにリップ３の周囲を囲うようにルアー本体１の前端部（顎部分）から前方に突出状態に取り付けられても良い。
【００２７】
また、図４に示した形状の線状間隔保持部材７は、前後方向を回転軸として９０度回転して図６に示した状態でリップ３に取り付けられても、前記図面に示した形状のルアー１と同様に根掛りを減らす作用効果を奏することができる。
【００２８】
また、図７に示したように単に１本の直線状部材からなる線状間隔保持部材７をリップ３の前方に備えたルアー１においても、前記図面に示したルアー１と同様に根掛りを減らす作用効果を奏することが可能である。
【００２９】
なお、図７に示した形状の線状間隔保持部材７は、同図に仮想線で示したように先端側をＪ字状に湾曲させて、先端部が根１０などの障害物に衝突したときに狭い隙間に入り込み難くすることも可能である。
【００３０】
また、線状間隔保持部材７が取り付けられるルアー１としては、例えば図８に示したようにリップレスタイプのルアーに取り付けられても、前記と同様の根掛りし難くする作用が得られる。
【００３１】
また、図４、図７などに示した形状の線状間隔保持部材７は、例えば図９に示したようにルアー本体２とリップ３とをリップ付きの右側部分２Ｒと左側部分２Ｌとを貼り合わせて作製するときに、接続部６と共に右側部分２Ｒと左側部分２Ｌとの間に挟み込んで取り付けられても良い。
【００３２】
また、線状間隔保持部材７は、例えば図９に例示したように後端部側を屈曲してリップ３（またはルアー本体２）に埋設することにより、リップ３（またはルアー本体２）から抜け難くなる。
【００３３】
また、リップ３を薄く作製することにより、ルアー１はリーリング中に機敏な動きをする。また、金属製などの線状間隔保持部材７がリップ３の前方に突設されているので、根１０などの障害物に衝突したときには、樹脂製のリップ３だけが前端部に設けられているときより明瞭に分かるなど、感度が改善される。
【００３４】
また、ルアー本体２は必ずしも魚に似せる必要はないし、道糸５を結び付けるための接続部６は、図８に示したようにルアー本体２の魚で云う頭部近辺から背中側に設けられても良いし、鼻先などに設けられても良い。また、リップ３はルアー本体２に水平に取り付けられても良い。
【００３５】
【発明の効果】
上記したように、本発明のルアーにおいては、線状間隔保持部材が最前部から前方に突設されているので、リーリング中に根などの障害物に衝突することがあっても、障害物に衝突するのは多くの場合前方に突設された線状間隔保持部材の先端部である。したがって、線状間隔保持部材の先端部が根などの障害物に衝突しても、ルアー本体の中程や尾部側に取り付けられる釣鉤と障害物との間隔は大きく保たれ、釣鉤は障害物に引っ掛かり難い。すなわち、釣鉤は根掛りし難い。
【００３６】
特に、例えばバネ鋼と称されている高弾性ステンレス鋼、超弾性ニッケルチタン合金などの弾性変形領域の特に広い部材により線状間隔保持部材を作製すると、リーリング中に先端部が根などの障害物に引っ掛かることがあっても、ルアー本体が道糸により強く引っ張られると、線状間隔保持部材が撓みながら回動して障害物を乗り越えることが一層容易になり、且つ、障害物を乗り越えた後は元の形状に自然に戻るので一層好ましい（但し、変形が弾性変形領域内の場合）。
【００３７】
そして、線状間隔保持部材が上記のように、▲１▼障害物に引っ掛かる、▲２▼線状間隔保持部材が撓みながらリーリングに耐える、▲３▼回動して乗り越える、ときには単純なリーリングをしているときよりも、魚が潜んでいる確率の高い場所にルアーが長時間留まることになるし、根掛り状態になった線状間隔保持部材が撓んで外れるときに今までにない不規則なアクションが生まれ、そのアクションに魚が思わず反応してヒットすることがよくあるので、魚が潜んでいる確率の高い根回りや、杭などの障害物付近を積極的に攻めて釣果を上げることも可能になる。
【００３８】
また、リップを薄く作製することにより、ルアーはリーリング中に機敏な動きをする。また、金属製などの線状間隔保持部材がリップの前方に突設されているので、根などの障害物に衝突したときには、樹脂製のリップだけが前端部に設けられているときより明瞭に分かるなど、感度が改善される。
【図面の簡単な説明】
【図１】本発明のルアーの構成を示す説明図である。
【図２】本発明のルアーの使用状況を示す説明図である。
【図３】本発明のルアーの変形実施形態を示す説明図である。
【図４】本発明のルアーの他の変形実施形態を示す説明図である。
【図５】本発明のルアーの他の変形実施形態を示す説明図である。
【図６】本発明のルアーの他の変形実施形態を示す説明図である。
【図７】本発明のルアーの他の変形実施形態を示す説明図である。
【図８】本発明のルアーの他の変形実施形態を示す説明図である。
【図９】本発明のルアーの一製造方法を示す説明図である。
【図１０】従来技術を示す説明図である。
【符号の説明】
１  ルアー
２  ルアー本体
２Ｌ  左側部分
２Ｒ  右側部分
３  リップ
４  釣鉤
５  道糸
６  接続部
７  線状間隔保持部材
１０  根
【図１】
2004298132.tif 000003
【図２】
2004298132.tif 000004
【図３】
2004298132.tif 000005
【図４】
2004298132.tif 000006
【図５】
2004298132.tif 000007
【図６】
2004298132.tif 000008
【図７】
2004298132.tif 000009
【図８】
2004298132.tif 000010
【図９】
2004298132.tif 000011
【図１０】
2004298132.tif 000012